(57)【要約】【課題】複数の局部発振信号を用いる場合でも小型化できるレーダ受信機を得ること。【解決手段】レーダ受信機１００は、受信アンテナ１０と、周波数が異なる複数の局部発振信号を多重化した多重局部発振信号２１が入力される信号線３０と、多重局部発振信号２１に含まれる複数の局部発振信号を用いて受信アンテナ１０で受信される受信信号２０をダウンコンバートし、ダウンコンバート後の中間周波数信号を出力するダウンコンバート部６０と、を備えることを特徴とする。【選択図】図１
2019052873.tif 000002
【特許請求の範囲】
【請求項１】
受信アンテナと、
周波数が異なる複数の局部発振信号を多重化した多重局部発振信号が入力される信号線と、
前記信号線を介して入力される前記多重局部発振信号に含まれる複数の局部発振信号を用いて、前記受信アンテナで受信される受信信号をダウンコンバートし、ダウンコンバート後の中間周波数信号を出力するダウンコンバート部と、
を備えることを特徴とするレーダ受信機。
【請求項２】
ダウンコンバート部は、
前記多重局部発振信号の中から取り出された第１の局部発振信号を用いて、前記受信信号をダウンコンバートし、ダウンコンバート後の第１の中間周波数信号を出力する第１のミキサと、
前記多重局部発振信号の中から取り出され、周波数が前記第１の局部発振信号の周波数より低い第２の局部発振信号を用いて、前記第１の中間周波数信号をダウンコンバートし、ダウンコンバート後の第２の中間周波数信号を出力する第２のミキサと、
を備えることを特徴とする請求項１に記載のレーダ受信機。
【請求項３】
ダウンコンバート部は、
前記多重局部発振信号の中から取り出され、周波数が前記第２の局部発振信号の周波数より低い第３の局部発振信号を用いて、前記第２の中間周波数信号をダウンコンバートし、ダウンコンバート後の第３の中間周波数信号を出力する第３のミキサと、
を備えることを特徴とする請求項２に記載のレーダ受信機。
【発明の詳細な説明】
【技術分野】
【０００１】
本発明は、周波数の異なる複数の局部発振信号を用いて受信アンテナで受信される受信信号をダウンコンバートするレーダ受信機に関する。
【背景技術】
【０００２】
特許文献１には、バンドパスフィルタに位相差調整機能を持たせることによって、部品数を減らしてレーダ受信機を小型化する技術が開示されている。
【先行技術文献】
【特許文献】
【０００３】
【特許文献１】特開平６−１３８２０９号公報
【発明の概要】
【発明が解決しようとする課題】
【０００４】
近年ではレーダ受信機の小型化が進んでいるため、レーダ受信機内の部品の実装スペースと信号線の配線スペースとが制約される。このようなレーダ受信機には、多段階で周波数変換を行うために複数の局部発振信号を用いるレーダ受信機が存在する。しかしながら、特許文献１には、複数の局部発振信号を用いる場合の小型化技術については開示されていない。
【０００５】
本発明は、上記に鑑みてなされたものであって、複数の局部発振信号を用いる場合でも小型化できるレーダ受信機を得ることを目的とする。
【課題を解決するための手段】
【０００６】
上述した課題を解決し、目的を達成するために、本発明のレーダ受信機は、受信アンテナと、周波数が異なる複数の局部発振信号を多重化した多重局部発振信号が入力される信号線とを備える。レーダ受信機は、信号線を介して入力される多重局部発振信号に含まれる複数の局部発振信号を用いて、受信アンテナで受信される受信信号をダウンコンバートし、ダウンコンバート後の中間周波数信号を出力するダウンコンバート部を備えることを特徴とする。
【発明の効果】
【０００７】
本発明によれば、複数の局部発振信号を用いる場合でも小型化できるという効果を奏する。
【図面の簡単な説明】
【０００８】
【図１】本発明の実施の形態１に係るレーダ受信機の構成例を示す図
【図２】本発明の実施の形態１の変形例に係るレーダ受信機の構成例を示す図
【図３】本発明の実施の形態２に係るレーダ受信機の構成例を示す図
【図４】本発明の実施の形態２の変形例に係るレーダ受信機の構成例を示す図
【発明を実施するための形態】
【０００９】
以下に、本発明の実施の形態に係るレーダ受信機を図面に基づいて詳細に説明する。なお、この実施の形態によりこの発明が限定されるものではない。
【００１０】
実施の形態１．
図１は本発明の実施の形態１に係るレーダ受信機の構成例を示す図である。図１に示すレーダ受信機１００は、ダブルスーパーヘテロダイン方式の受信機である。レーダ受信機１００は、受信アンテナ１０と、入力端子１と、ダウンコンバート部６０と、ＡＤ（Analog  to  Digital）変換部１５とを備える。ダウンコンバート部６０は、第１のミキサ１１−１１と、カプラ１３と、第２のミキサ１１−１２と、ローパスフィルタ１４とを備える。
【００１１】
受信アンテナ１０は、受信信号２０を受信し、第１のミキサ１１−１１に出力する。
【００１２】
カプラ１３は、第１のポート１３ａ、第２のポート１３ｂ、第３のポート１３ｃを備える。第１のポート１３ａには、信号線３０の一端が接続される。信号線３０の他端は入力端子１に接続される。信号線３０はレーダ受信機１００の内部配線の１つである。入力端子１には外部配線２が接続される。外部配線２には多重局部発振信号２１が入力される。多重局部発振信号２１は、周波数の異なる第１の局部発振信号ＬＯ１及び第２の局部発振信号ＬＯ２を多重化した信号である。第２の局部発振信号ＬＯ２は、周波数が第１の局部発振信号ＬＯ１の周波数より低いローカル信号である。多重局部発振信号２１は、例えば出力周波数の異なる２つの発振器のそれぞれから出力される局部発振信号を不図示の混合器で多重化したものである。なお多重局部発振信号２１は、周波数の異なる複数の局部発振信号を多重化した信号であれば、複数の発振器及び混合器を用いて生成されたものに限定されない。
【００１３】
カプラ１３は、外部配線２、入力端子１、信号線３０及び第１のポート１３ａを介して入力した多重局部発振信号２１の中から、第１の局部発振信号ＬＯ１を取り出して、第２のポート１３ｂに出力する。第２のポート１３ｂには、信号線３１の一端が接続される。信号線３１の他端は、第１のミキサ１１−１１に接続される。第２のポート１３ｂに出力された第１の局部発振信号ＬＯ１は、信号線３１を介して、第１のミキサ１１−１１に入力される。
【００１４】
第１のミキサ１１−１１には、受信信号２０と第１の局部発振信号ＬＯ１とが入力される。受信信号２０と第１の局部発振信号ＬＯ１とが入力される第１のミキサ１１−１１は、受信信号２０と第１の局部発振信号ＬＯ１とを混合することによって、受信信号２０を第１の中間周波数信号ＩＦ１１にダウンコンバートする。ダウンコンバートは、高い周波数の信号を低い周波数の信号に変換することである。第１の中間周波数信号ＩＦ１１は、第２のミキサ１１−１２に入力される。
【００１５】
またカプラ１３は、多重局部発振信号２１に含まれる第１の局部発振信号ＬＯ１及び第２の局部発振信号ＬＯ２を、第３のポート１３ｃに出力する。第３のポート１３ｃには、信号線３２の一端が接続される。信号線３２の他端は、ローパスフィルタ１４に接続される。第３のポート１３ｃに出力された第１の局部発振信号ＬＯ１及び第２の局部発振信号ＬＯ２は、信号線３２を介して、ローパスフィルタ１４に入力される。第１の局部発振信号ＬＯ１及び第２の局部発振信号ＬＯ２が入力されるローパスフィルタ１４は、第２の局部発振信号ＬＯ２を取り出して、取り出した第２の局部発振信号ＬＯ２を信号線３３を介して、第２のミキサ１１−１２に出力する。第１の中間周波数信号ＩＦ１１及び第２の局部発振信号ＬＯ２が入力される第２のミキサ１１−１２は、第１の中間周波数信号ＩＦ１１と第２の局部発振信号ＬＯ２とを混合することによって、第１の中間周波数信号ＩＦ１１を第２の中間周波数信号ＩＦ１２にダウンコンバートする。
【００１６】
第２の中間周波数信号ＩＦ１２は、ＡＤ変換部１５に入力される。ＡＤ変換部１５に入力された第２の中間周波数信号ＩＦ１２は、ＡＤ変換部１５でディジタル信号に変換され、不図示の処理部に送信される。当該処理部は、ＡＤ変換部１５で変換されたディジタル信号を用いて、例えば、レーダ受信機１００が搭載される物体から目標物までの距離を演算し、また当該物体と当該目標物との相対速度を演算する。
【００１７】
このように実施の形態１に係るレーダ受信機１００は、周波数の異なる複数の局部発振信号を多重化した多重局部発振信号２１を、信号線３０を介して受け取ることができる。信号線３０の代わりに、例えば第１の信号線と第２の信号線を用いた場合、第１の信号線を介して第１の局部発振信号ＬＯ１が入力され、第２の信号線を介して第２の局部発振信号ＬＯ２が入力される。近年ではレーダ受信機１００の小型化が進んでいるため、レーダ受信機１００内の部品の実装スペースと信号線の配線スペースとが制約される。このように部品の実装スペースなどが制約されるレーダ受信機１００に第１の信号線及び第２の信号線を配線する場合、信号線同士が干渉して配線が困難になる可能性がある。
【００１８】
実施の形態１に係るレーダ受信機１００は、信号線３０を介して入力される多重局部発振信号２１に含まれる複数の局部発振信号を用いて、受信信号２０をダウンコンバートし、ダウンコンバート後の中間周波数信号を出力する構成であるため、複数の局部発振信号を入力するための内部配線である信号線３０の数を低減できる。従って、信号線３０の配線が容易化されると共に、信号線３０の配線に伴う作業時間が短縮される。
【００１９】
また実施の形態１に係るレーダ受信機１００では、複数の局部発振信号を入力するための信号線３０の数を低減できるため、信号線３０を配線するためのスペースを減らすことができ、また周波数の異なる複数の局部発振信号のそれぞれに必要な入力端子１の数を低減できる。従って、複数の局部発振信号を用いた処理、すなわち多段階のダウンコンバート処理を実施できるレーダ受信機１００としての性能を確保しながら、レーダ受信機１００を小型化できる。
【００２０】
また実施の形態１に係るレーダ受信機１００では、後述するレーダ受信機１００Ａに比べて、ダウンコンバート部６０を構成する複数の部品間に配線される信号線の数を低減できるため、複数の部品間に配線される信号線の配線が容易化されると共に、信号線の配線に伴う作業時間が短縮される。
【００２１】
また実施の形態１に係るレーダ受信機１００では、後述するレーダ受信機１００Ａに比べて、ダウンコンバート部６０を構成する部品の数を低減できるため、レーダ受信機１００内に部品を実装するためのスペースを小さくでき、レーダ受信機１００を小型化できる。
【００２２】
なおレーダ受信機１００は、カプラ１３が多重局部発振信号２１の中から第１の局部発振信号ＬＯ１を取り出す構成とされるが、カプラ１３が多重局部発振信号２１の中から第２の局部発振信号ＬＯ２を取り出す構成としてもよい。具体的には、カプラ１３は、多重局部発振信号２１に含まれる第１の局部発振信号ＬＯ１及び第２の局部発振信号ＬＯ２を第２のポート１３ｂに出力する。第２のポート１３ｂにはハイパスフィルタが接続され、ハイパスフィルタには、第１の局部発振信号ＬＯ１及び第２の局部発振信号ＬＯ２が入力される。ハイパスフィルタは、第１の局部発振信号ＬＯ１及び第２の局部発振信号ＬＯ２の中から第１の局部発振信号ＬＯ１を取り出して、第１のミキサ１１−１１に出力する。またカプラ１３は、多重局部発振信号２１の中から、第２の局部発振信号ＬＯ２を取り出して、第３のポート１３ｃに出力する。第３のポート１３ｃには第２のミキサ１１−１２が接続され、第３のポート１３ｃに出力された第２の局部発振信号ＬＯ２は、第２のミキサ１１−１２に入力される。
【００２３】
図２は本発明の実施の形態１の変形例に係るレーダ受信機の構成例を示す図である。図２に示すレーダ受信機１００Ａは、図１に示すダウンコンバート部６０の代わりにダウンコンバート部６０Ａを備える。ダウンコンバート部６０Ａは、図１に示すカプラ１３の代わりに、２分配器１６及びハイパスフィルタ１７を備える。レーダ受信機１００と同様の構成要素については、同じ符号を付して詳細な説明を省略する。
【００２４】
２分配器１６は、第１のポート１６ａ、第２のポート１６ｂ及び第３のポート１６ｃを備える。第１のポート１６ａには、信号線３０が接続される。信号線３０には、多重局部発振信号２１が入力される。２分配器１６には、外部配線２、入力端子１、信号線３０及び第１のポート１６ａを介して、多重局部発振信号２１が入力される。２分配器１６は、多重局部発振信号２１に含まれる第１の局部発振信号ＬＯ１及び第２の局部発振信号ＬＯ２を、第２のポート１６ｂ及び第３のポート１６ｃのそれぞれに出力する。
【００２５】
第２のポート１６ｂには、信号線３４の一端が接続される。信号線３４の他端は、ハイパスフィルタ１７に接続される。第２のポート１６ｂに出力された第１の局部発振信号ＬＯ１及び第２の局部発振信号ＬＯ２は、信号線３４を介して、ハイパスフィルタ１７に入力される。第１の局部発振信号ＬＯ１及び第２の局部発振信号ＬＯ２が入力されるハイパスフィルタ１７は、第１の局部発振信号ＬＯ１を取り出す。ハイパスフィルタ１７には、信号線３５の一端が接続される。信号線３５の他端は、第１のミキサ１１−１１に接続される。ハイパスフィルタ１７は、取り出した第１の局部発振信号ＬＯ１を、信号線３５を介して、第１のミキサ１１−１１に出力する。
【００２６】
第３のポート１６ｃには、信号線３６の一端が接続される。信号線３６の他端は、ローパスフィルタ１４に接続される。第３のポート１６ｃに出力された第１の局部発振信号ＬＯ１及び第２の局部発振信号ＬＯ２は、信号線３６を介してローパスフィルタ１４に入力される。
【００２７】
レーダ受信機１００Ａによれば、図１に示すカプラ１３の代わりに、２分配器１６及びハイパスフィルタ１７を用いた場合でも、レーダ受信機１００と同様の効果が得られる。
【００２８】
実施の形態２．
図３は本発明の実施の形態２に係るレーダ受信機の構成例を示す図である。図３に示すレーダ受信機２００は、トリプルスーパーヘテロダイン方式の受信機である。レーダ受信機２００は、図１に示すダウンコンバート部６０の代わりにダウンコンバート部７０を備える。ダウンコンバート部７０は、３分配器１９と、ハイパスフィルタ１７と、第１のミキサ１１−２１と、第２のミキサ１１−２２と、バンドパスフィルタ１８と、第３のミキサ１１−２３と、ローパスフィルタ１４とを備える。レーダ受信機１００と同様の構成要素については、同じ符号を付して詳細な説明を省略する。
【００２９】
３分配器１９は、第１のポート１９ａ、第２のポート１９ｂ、第３のポート１９ｃ及び第４のポート１９ｄを備える。第１のポート１９ａには、信号線３０が接続される。３分配器１９には、外部配線２、入力端子１、信号線３０及び第１のポート１９ａを介して、多重局部発振信号２２が入力される。多重局部発振信号２２は、周波数の異なる第１の局部発振信号ＬＯ１、第２の局部発振信号ＬＯ２１及び第３の局部発振信号ＬＯ２２を多重化した信号である。第２の局部発振信号ＬＯ２１は、周波数が第１の局部発振信号ＬＯ１の周波数より低いローカル信号である。第３の局部発振信号ＬＯ２２は、周波数が第２の局部発振信号ＬＯ２１の周波数より低いローカル信号である。多重局部発振信号２２は、例えば出力周波数の異なる３つの発振器のそれぞれから出力される局部発振信号を不図示の混合器で多重化したものである。なお多重局部発振信号２２は、周波数の異なる複数の局部発振信号を多重化した信号であれば、複数の発振器及び混合器を用いて生成されたものに限定されない。３分配器１９は、多重局部発振信号２２に含まれる第１の局部発振信号ＬＯ１、第２の局部発振信号ＬＯ２１及び第３の局部発振信号ＬＯ２２を、第２のポート１９ｂ、第３のポート１９ｃ及び第４のポート１９ｄのそれぞれに出力する。
【００３０】
第２のポート１９ｂには、信号線３７の一端が接続される。信号線３７の他端は、ハイパスフィルタ１７に接続される。第２のポート１９ｂに出力された第１の局部発振信号ＬＯ１、第２の局部発振信号ＬＯ２１及び第３の局部発振信号ＬＯ２２は、信号線３７を介して、ハイパスフィルタ１７に入力される。第１の局部発振信号ＬＯ１、第２の局部発振信号ＬＯ２１及び第３の局部発振信号ＬＯ２２が入力されるハイパスフィルタ１７は、第１の局部発振信号ＬＯ１を取り出す。ハイパスフィルタ１７には、信号線３８の一端が接続される。信号線３８の他端は、第１のミキサ１１−２１に接続される。ハイパスフィルタ１７は、取り出した第１の局部発振信号ＬＯ１を、信号線３８を介して、第１のミキサ１１−２１に出力する。第１の局部発振信号ＬＯ１が入力される第１のミキサ１１−２１は、受信信号２０と第１の局部発振信号ＬＯ１とを混合することによって、受信信号２０を第１の中間周波数信号ＩＦ２１にダウンコンバートする。第１の中間周波数信号ＩＦ２１は、第２のミキサ１１−２２に入力される。
【００３１】
第３のポート１９ｃには、信号線３９の一端が接続される。信号線３９の他端は、バンドパスフィルタ１８に接続される。第３のポート１９ｃに出力された第１の局部発振信号ＬＯ１、第２の局部発振信号ＬＯ２１及び第３の局部発振信号ＬＯ２２は、信号線３９を介してバンドパスフィルタ１８に入力される。第１の局部発振信号ＬＯ１、第２の局部発振信号ＬＯ２１及び第３の局部発振信号ＬＯ２２が入力されるバンドパスフィルタ１８は、第２の局部発振信号ＬＯ２１を取り出す。バンドパスフィルタ１８には、信号線４０の一端が接続される。信号線４０の他端は、第２のミキサ１１−２２が接続される。バンドパスフィルタ１８は、取り出した第２の局部発振信号ＬＯ２１を、信号線４０を介して、第２のミキサ１１−２２に出力する。第１の中間周波数信号ＩＦ２１及び第２の局部発振信号ＬＯ２１が入力される第２のミキサ１１−２２は、第１の中間周波数信号ＩＦ２１と第２の局部発振信号ＬＯ２１とを混合することによって、第１の中間周波数信号ＩＦ２１を第２の中間周波数信号ＩＦ２２にダウンコンバートする。第２の中間周波数信号ＩＦ２２は、第３のミキサ１１−２３に入力される。
【００３２】
第４のポート１９ｄには、信号線４１の一端が接続される。信号線４１の他端は、ローパスフィルタ１４に接続される。第４のポート１９ｄに出力された第１の局部発振信号ＬＯ１、第２の局部発振信号ＬＯ２１及び第３の局部発振信号ＬＯ２２は、信号線４１を介してローパスフィルタ１４に入力される。第１の局部発振信号ＬＯ１、第２の局部発振信号ＬＯ２１及び第３の局部発振信号ＬＯ２２が入力されるローパスフィルタ１４は、第３の局部発振信号ＬＯ２２を取り出す。ローパスフィルタ１４には、信号線４２の一端が接続される。信号線４２の他端は、第３のミキサ１１−２３が接続される。ローパスフィルタ１４は、取り出した第３の局部発振信号ＬＯ２２を、信号線４２を介して、第３のミキサ１１−２３に出力する。第２の中間周波数信号ＩＦ２２及び第３の局部発振信号ＬＯ２２が入力される第３のミキサ１１−２３は、第２の中間周波数信号ＩＦ２２と第３の局部発振信号ＬＯ２２とを混合することによって、第２の中間周波数信号ＩＦ２２を第３の中間周波数信号ＩＦ２３にダウンコンバートする。第３の中間周波数信号ＩＦ２３は、ＡＤ変換部１５に入力される。ＡＤ変換部１５に入力された第３の中間周波数信号ＩＦ２３は、ＡＤ変換部１５でディジタル信号に変換され、不図示の処理部に送信される。
【００３３】
このように実施の形態２に係るレーダ受信機２００は、周波数の異なる３つの局部発振信号を多重化した多重局部発振信号２２を、信号線３０を介して受け取ることができる。なお実施の形態２では３つのミキサが用いられるが、ミキサの数は４つ以上でもよい。ミキサの数が４つ以上の場合、レーダ受信機２００では、ミキサの数と同数の局部発振信号を多重化した多重局部発振信号が用いられる。実施の形態２に係るレーダ受信機２００によれば、実施の形態１に係るレーダ受信機１００と同様の効果が得られると共に、レーダ受信機１００に比べてミキサの数が多いためイメージ妨害を回避できる。イメージ妨害は、イメージ周波数によって引き起こされる妨害である。イメージ周波数は、受信信号２０の周波数±２×中間周波数で定義される周波数である。
【００３４】
図４は本発明の実施の形態２の変形例に係るレーダ受信機の構成例を示す図である。図４に示すレーダ受信機２００Ａは、図３に示すダウンコンバート部７０の代わりにダウンコンバート部７０Ａを備える。ダウンコンバート部７０Ａは、図３に示す３分配器１９及びハイパスフィルタ１７の代わりに、カプラ５０及び２分配器５１を備える。レーダ受信機２００と同様の構成要素については、同じ符号を付して詳細な説明を省略する。
【００３５】
カプラ５０は、第１のポート５０ａ、第２のポート５０ｂ及び第３のポート５０ｃを備える。第１のポート５０ａには、信号線３０が接続される。カプラ５０には、外部配線２、入力端子１、信号線３０及び第１のポート５０ａを介して、多重局部発振信号２２が入力される。カプラ５０は、入力した多重局部発振信号２２の中から、第１の局部発振信号ＬＯ１を取り出して、第２のポート５０ｂに出力する。第２のポート５０ｂには、信号線４３の一端が接続される。信号線４３の他端は、第１のミキサ１１−２１に接続される。第２のポート５０ｂに出力された第１の局部発振信号ＬＯ１は、信号線４３を介して、第１のミキサ１１−２１に入力される。
【００３６】
またカプラ５０は、多重局部発振信号２２に含まれる第１の局部発振信号ＬＯ１、第２の局部発振信号ＬＯ２１及び第３の局部発振信号ＬＯ２２を、第３のポート５０ｃに出力する。第３のポート５０ｃには、信号線４４の一端が接続される。信号線４４の他端は、２分配器５１の第１のポート５１ａに接続される。第３のポート５０ｃに出力された第１の局部発振信号ＬＯ１、第２の局部発振信号ＬＯ２１及び第３の局部発振信号ＬＯ２２は、信号線４４を介して、２分配器５１に入力される。
【００３７】
２分配器５１は、第１のポート５１ａの他、第２のポート５１ｂ及び第３のポート５１ｃを備える。２分配器５１は、入力した第１の局部発振信号ＬＯ１、第２の局部発振信号ＬＯ２１及び第３の局部発振信号ＬＯ２２を、第２のポート５１ｂ及び第３のポート５１ｃのそれぞれに出力する。
【００３８】
第２のポート５１ｂには、信号線４５の一端が接続される。信号線４５の他端は、バンドパスフィルタ１８に接続される。第２のポート５１ｂに出力された第１の局部発振信号ＬＯ１、第２の局部発振信号ＬＯ２１及び第３の局部発振信号ＬＯ２２は、信号線４５を介して、バンドパスフィルタ１８に入力される。
【００３９】
第３のポート５１ｃには、信号線４６の一端が接続される。信号線４６の他端は、ローパスフィルタ１４に接続される。第３のポート５１ｃに出力された第１の局部発振信号ＬＯ１、第２の局部発振信号ＬＯ２１及び第３の局部発振信号ＬＯ２２は、信号線４６を介して、ローパスフィルタ１４に入力される。
【００４０】
レーダ受信機２００Ａによれば、図３に示す３分配器１９及びハイパスフィルタ１７の代わりに、カプラ５０及び２分配器５１を用いた場合でも、レーダ受信機２００と同様の効果が得られる。
【００４１】
なおレーダ受信機２００Ａは、カプラ５０が多重局部発振信号２２の中から第１の局部発振信号ＬＯ１を取り出す構成とされるが、カプラ５０が多重局部発振信号２２の中から第２の局部発振信号ＬＯ２１又は第３の局部発振信号ＬＯ２２を取り出す構成としてもよい。
【００４２】
具体的には、カプラ５０が多重局部発振信号２２の中から第２の局部発振信号ＬＯ２１を取り出す場合、カプラ５０は、取り出した第２の局部発振信号ＬＯ２１を第２のポート５０ｂに出力する。第２のポート５０ｂには第２のミキサ１１−２２が接続され、第２のミキサ１１−２２には第２の局部発振信号ＬＯ２１が入力される。また、カプラ５０は、多重局部発振信号２２に含まれる第１の局部発振信号ＬＯ１、第２の局部発振信号ＬＯ２１及び第３の局部発振信号ＬＯ２２を第３のポート５０ｃに出力する。第３のポート５０ｃには２分配器の入力ポートが接続される。２分配器の２つの出力ポートの内、第１の出力ポートにはハイパスフィルタが接続される。ハイパスフィルタは、２分配器から出力される第１の局部発振信号ＬＯ１、第２の局部発振信号ＬＯ２１及び第３の局部発振信号ＬＯ２２の中から第１の局部発振信号ＬＯ１を取り出して、第１のミキサ１１−２１に出力する。２分配器の２つの出力ポートの内、第２の出力ポートにはローパスフィルタが接続される。ローパスフィルタは、２分配器から出力される第１の局部発振信号ＬＯ１、第２の局部発振信号ＬＯ２１及び第３の局部発振信号ＬＯ２２の中から第３の局部発振信号ＬＯ２２を取り出して、第３のミキサ１１−２３に出力する。
【００４３】
カプラ５０が多重局部発振信号２２の中から第３の局部発振信号ＬＯ２２を取り出す場合、カプラ５０は、取り出した第３の局部発振信号ＬＯ２２を第２のポート５０ｂに出力する。第２のポート５０ｂには第３のミキサ１１−２３が接続され、第３のミキサ１１−２３には第３の局部発振信号ＬＯ２２が入力される。また、カプラ５０は、多重局部発振信号２２に含まれる第１の局部発振信号ＬＯ１、第２の局部発振信号ＬＯ２１及び第３の局部発振信号ＬＯ２２を第３のポート５０ｃに出力する。第３のポート５０ｃには２分配器の入力ポートが接続される。２分配器の２つの出力ポートの内、第１の出力ポートにはハイパスフィルタが接続される。ハイパスフィルタは、２分配器から出力される第１の局部発振信号ＬＯ１、第２の局部発振信号ＬＯ２１及び第３の局部発振信号ＬＯ２２の中から第１の局部発振信号ＬＯ１を取り出して、第１のミキサ１１−２１に出力する。２分配器の２つの出力ポートの内、第２の出力ポートにはバンドパスフィルタが接続される。バンドパスフィルタは、２分配器から出力される第１の局部発振信号ＬＯ１、第２の局部発振信号ＬＯ２１及び第３の局部発振信号ＬＯ２２の中から第２の局部発振信号ＬＯ２１を取り出して、第２のミキサ１１−２２に出力する。
【００４４】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００４５】
１  入力端子、２  外部配線、１０  受信アンテナ、１１−１１，１１−２１  第１のミキサ、１１−１２，１１−２２  第２のミキサ、１１−２３  第３のミキサ、１３，５０  カプラ、１３ａ，１６ａ，１９ａ，５０ａ，５１ａ  第１のポート、１３ｂ，１６ｂ，１９ｂ，５０ｂ，５１ｂ  第２のポート、１３ｃ，１６ｃ，１９ｃ，５０ｃ，５１ｃ  第３のポート、１４  ローパスフィルタ、１５  ＡＤ変換部、１６，５１  ２分配器、１７  ハイパスフィルタ、１８  バンドパスフィルタ、１９  ３分配器、１９ｄ  第４のポート、２０  受信信号、２１，２２  多重局部発振信号、３０，３１，３２，３３，３４，３５，３６，３７，３８，３９，４０，４１，４２，４３，４４，４５，４６  信号線、６０，６０Ａ，７０，７０Ａ  ダウンコンバート部、１００，１００Ａ，２００，２００Ａ  レーダ受信機、ＩＦ１１，ＩＦ２１  第１の中間周波数信号、ＩＦ１２，ＩＦ２２  第２の中間周波数信号、ＩＦ２３  第３の中間周波数信号、ＬＯ１  第１の局部発振信号、ＬＯ２，ＬＯ２１  第２の局部発振信号、ＬＯ２２  第３の局部発振信号。
【図１】
2019052873.tif 000003
【図２】
2019052873.tif 000004
【図３】
2019052873.tif 000005
【図４】
2019052873.tif 000006